(57)【要約】【課題】煩雑な操作を要することなく、送信条件にあった好適な条件でメール送信を行うことが可能な情報機器を提供する。【解決手段】操作部１３の操作により設定され、すでに記憶部１５に記憶してある配信（送信）条件を、メール配信（送信）回数の履歴を管理し、ある相手へのメール配信回数履歴やメール受信回数履歴の情報を記憶部１５に記憶し、記憶部１５に記憶されて履歴情報に基づいて、所定期間、たとえば１週間、あるいは１ヶ月等の期間をおいて親密度等を推定し、配信すべく相手の配信順位等を動的に再設定し、アドレス帳が登録され、アドレス帳条件が設定されている場合にはリアルタイム配信し、アドレス帳条件が設定されていない場合には、メールを規定時間に配信する、あるいは条件に従ってメールを配信しない制御を行う制御部１７を有する。【選択図】図１
2007299073.tif 000002
【特許請求の範囲】
【請求項１】
メールの配信機能を有する情報機器であって、
前記メールの配信相手をアドレス帳として登録可能なアドレス帳登録手段と、
前記メールの配信条件を設定可能な配信条件設定手段と、
前記設定された前記配信条件に従って作成した前記メールを配信するメール配信手段と、を有し、
前記条件設定手段は、前記メールの配信先相手との親密度に基づき前記配信条件を設定可能である
ことを特徴とする情報機器。
【請求項２】
前記配信条件設定手段は、前記配信条件を、前記メール配信の回数の履歴を管理することにより動的にスケジュール管理する
ことを特徴とする請求項１記載の情報機器。
【請求項３】
前記配信条件設定手段は、前記配信条件を、前記メールの受信回数の履歴を管理することにより動的にスケジュール管理する
ことを特徴とする請求項１または２記載の情報機器。
【請求項４】
前記配信条件設定手段は、少なくともアドレス帳条件に従った配信を行うかを設定可能であり、
前記メール送信手段は、アドレス帳が登録され、当該アドレス帳に設定された配信相手にメールの配信を行うアドレス帳条件が設定されている場合には、作成されたメールをリアルタイムに配信する
ことを特徴とする請求項１から３のいずれか一に記載の情報機器。
【請求項５】
前記配信条件設定手段は、作成した前記メールを配信すべき時間をあらかじめ規定可能であり、
前記メール配信手段は、前記アドレス帳条件が設定されていない場合には、作成した前記メールを規定した時間に配信する
ことを特徴とする請求項４記載の情報機器。
【請求項６】
前記メール配信手段は、当該メールを配信する情報機器と他の前記メールの配信先の情報機器とのアドレスの文字列により配信条件を判定する
ことを特徴とする請求項１から５のいずれか一に記載の情報機器。
【請求項７】
前記配信条件設定手段は、前記メールの配信処理をした後の処理条件を設定可能であり、
前記メール配信手段は、設定条件に従ってメールに対する配信処理後の処理を行う
ことを特徴とする請求項１から６のいずれか一に記載の情報機器。
【発明の詳細な説明】
【技術分野】
【０００１】
本発明は、携帯電話端末等のメール送信機能を有する情報機器に関するものである。
【背景技術】
【０００２】
たとえば、携帯電話端末間でのメールに関しては、その携帯電話端末同士で直接行われるか、電子メールのように、あるサーバを介して行われる。
そして、特別の設定を行われなければ、メールの送信はほぼリアルタイムで行われる。
【０００３】
この一般的なメール送信方法では、携帯電話端末でのメールを配信する際には、携帯電話端末同士のメールに関してはほぼリアルタイムで行われるため、たとえば夜遅い時間帯や朝早い時間帯では、送信相手に迷惑がかかる場合がある。
受信側に受信拒否設定ができる携帯電話端末もあるが、設定忘れなどしている場合や設定していないケースなども考えられ、時間によっては配信しにくいものである。
【０００４】
このような状況に鑑みて、設定した時間に作成したメールを配信する携帯電話端末が提案されている（たとえば、特許文献１または２参照）。
【０００５】
特許文献１に開示された携帯情報端末装置は、文字メール作成するメール作成手段と、作成した文字メールの送信実行時間を設定する送信時間設定手段と、を有し、文字メール作成時期と、文字メール送信実行時間とを分離し、所定の時間に文字メールを送信可能に構成されている。
【０００６】
また、特許文献２に開示された携帯電話装置は、特定の日時にユーザが設定したメールアドレス宛に、作成したメールを送信できるように構成されている。
【特許文献１】特開２００２−１９７０３１号公報
【特許文献２】特開２００３−２６３３９号公報
【発明の開示】
【発明が解決しようとする課題】
【０００７】
しかしながら、特許文献１および２に開示された技術では、設定した時間にメールを送信することができることから、送信相手に迷惑をかけることが少なくなるものの、メール作成のたびに送信時間等を設定する必要があり、煩雑さが残るという不利益がある。
【０００８】
また、メールはユーザと送信相手との親密度によって、送信する条件が異なるものであるが、上述した特許文献１および２に開示された技術では、設定日時になると無条件に送信するように構成されていることから、送信相手によっては迷惑をかける可能性がいまだ残っている。
【０００９】
本発明の目的は、煩雑な操作を要することなく、配信条件にあった好適な条件でメール配信を行うことが可能な情報機器を提供することにある。
【課題を解決するための手段】
【００１０】
本発明の観点はメールの配信機能を有する情報機器であって、メールの配信機能を有する情報機器であって、前記メールの配信相手をアドレス帳として登録可能なアドレス帳登録手段と、前記メールの配信条件を設定可能な配信条件設定手段と、前記設定された前記配信条件に従って作成した前記メールを配信するメール配信手段と、を有し、前記条件設定手段は、前記メールの配信先相手との親密度に基づき前記配信条件を設定可能である。
【００１１】
好適には、前記配信条件設定手段は、前記配信条件を、前記メール配信の回数の履歴を管理することにより動的にスケジュール管理する。
【００１２】
好適には、前記配信条件設定手段は、前記配信条件を、前記メールの受信回数の履歴を管理することにより動的にスケジュール管理する。
【００１３】
好適には、前記配信条件設定手段は、少なくともアドレス帳条件に従った配信を行うかを設定可能であり、前記メール送信手段は、アドレス帳が登録され、当該アドレス帳に設定された配信相手にメールの配信を行うアドレス帳条件が設定されている場合には、作成されたメールをリアルタイムに配信する。
【００１４】
好適には、前記配信条件設定手段は、作成した前記メールを配信すべき時間をあらかじめ規定可能であり、前記メール配信手段は、前記アドレス帳条件が設定されていない場合には、作成した前記メールを規定した時間に配信する。
【００１５】
好適には、前記メール配信手段は、当該メールを配信する情報機器と他の前記メールの配信先の情報機器とのアドレスの文字列により送信条件を判定する。
【００１６】
好適には、前記配信条件設定手段は、前記メールの配信処理をした後の処理条件を設定可能であり、前記メール配信手段は、設定条件に従ってメールに対する配信処理後の処理を行う。
【発明の効果】
【００１７】
本発明によれば、煩雑な操作を要することなく、配信条件にあった好適な条件でメール配信を行うことができる。
【発明を実施するための最良の形態】
【００１８】
以下、本発明の実施形態を添付図面に関連付けて説明する。
【００１９】
図１は、本発明の実施形態に係る情報機器としての携帯電話端末の構成例を示すブロック図である。
【００２０】
本携帯電話端末１０は、いわゆるスケジューラ機能を備えたおり、あらかじめアドレス帳にメールの送信条件を設定可能に構成されている。
本実施形態において、メールの送信条件は、基本的に、ユーザと送信相手との親密度に基づき設定可能に構成されている。
また、送信条件は、携帯電話端末１０とその他の端末装置とのアドレスの文字列により判別される。
また、送信条件は、メール配信（送信）回数の履歴を管理することで動的にスケジュール管理される。
また、送信条件は、メール受信回数の履歴を管理することで動的にスケジュール管理される。
【００２１】
本携帯電話端末１０は、図１に示すように、無線通信部１１、表示部１２、操作部１３、音声処理部１４、記憶部１５、タイマ１６、および制御部１７を有する。
【００２２】
なお、メール配信手段は、無線通信部１１と表示部１２と制御部１７により構成可能であり、アドレス帳登録手段は表示部１２と操作部１３と記憶部１５と制御部１７により構成可能であり、配信条件設定手段は表示部１２と操作部１３と制御部１７により構成可能である。
【００２３】
無線通信部１１は、制御部１７の制御の下、図示しない通信網を介してサーバや他の携帯電話端末との無線通信処理を行う。
【００２４】
表示部１２は、液晶表示デバイス(ＬＣＤ)等により構成され、制御部１７の制御の下、機能操作に応じた情報を表示する。
たとえば、表示部１２には、制御部１７の制御の下、待受け画面、メール作成時における文字列の表示画面、アドレス帳の作成画面、メール配信条件の設定画面等が表示される。
【００２５】
操作部１３は、テンキー等の操作キーを含む。
操作部１３は、たとえばメール作成時に操作してメールが作成されたり、メールの配信条件を設定するためのアドレス帳設定やメール配信設定のために操作される。
【００２６】
音声処理部１４は、マイクロフォンやスピーカを有し、制御部１７の制御の下、音声入力処理または音声出力処理を行う。
【００２７】
記憶部１５は、制御部１７を通してアクセスされ、プログラムやメッセージデータ、アドレスデータ、電話番号等を記憶する。
また、記憶部１５には、制御部１７によりメールの配信（送信）条件を設定したアドレス帳設定データやメール配信設定データが記憶される。
また、前述したように、配信条件は、メール配信回数の履歴を管理することで動的にスケジュール管理したり、メール受信回数の履歴を管理することで動的にスケジュール管理されるが、このメール受信回数履歴やメール受信回数履歴の情報が記憶部１５に記憶される。
制御部１７においては、この記憶部１５に記憶されて履歴情報に基づいて、所定期間、たとえば１週間、あるいは１ヶ月等の期間をおいて親密度等を推定し、送信すべく相手の配信順位等を動的に再設定する等の制御が行われる。
【００２８】
タイマ１６は、たとえば制御部１７によりメールの配信条件としてあらかじめ規定した時間に配信する場合等に参照される。
【００２９】
制御部１７は、携帯電話端末１０の全体的な機能制御や、無線通信処理やモード制御、あるいは送信データ、受信データ対する所定の処理やそれに応じた記憶部１５へのアクセスを行う。
【００３０】
制御部１７は、操作部１３の操作に応じてメールの配信（送信）条件設定の表示部１２への表示制御を行い、また、設定された送信条件の記憶部１５への格納処理を行う。
制御部１７は、作成されたメールの送信条件に従って無線通信部１１を介しての送信制御、無線通信部１１を介して受信したメールの管理制御、作成したあるいは受信したメールを必要に応じて記憶部１５に記憶する。
制御部１７は、メールの配信（送信）アドレス、受信アドレスによりメール制御を行い、送信条件の動的にスケジュール管理を行う。
【００３１】
具体的には、制御部１７は、操作部１３の操作により設定され、すでに記憶部１５に記憶してある配信（送信）条件を、メール送信回数の履歴を管理することで動的にスケジュール管理し、または／およびメール受信回数の履歴を管理することで動的にスケジュール管理し、このメール配信回数履歴やメール受信回数履歴の情報を記憶部１５に記憶する。
制御部１７は、記憶部１５に記憶されて履歴情報に基づいて、所定期間、たとえば１週間、あるいは１ヶ月等の期間をおいて親密度等を推定し、配信すべく相手の配信順位等を動的に再設定する等の制御を行う。
【００３２】
次に、制御部１７におけるアドレス帳の設定登録、並びに、メール配信条件設定登録の一例を図２並びに図３および図４に関連付けて説明する。
【００３３】
図２は、本実施形態の制御部１７におけるアドレス帳の設定登録の一例を説明するための図である。
また、図３および図４は、本実施形態の制御部１７におけるメール配信条件設定登録の一例を説明するための図である。
【００３４】
まず、図２に関連付けてアドレス帳の設定登録について説明する。
【００３５】
アドレス帳設定登録では、図２（Ａ）に示すように、表示部１２にアドレス設定画面１２１を表示させる。
操作部１３のキーを操作することにより、メールを配信する相手の名前、番号等を入力して設定するとともに、メール配信条件を設定する。
メール配信条件欄は、設定を行わない場合は、デフォルト値となる。
そして、表示画面１０１のメール配信条件入力領域１０２を選択して、図２(Ｂ）に示すようなメール配信条件設定画面１０３を表示する。
【００３６】
本例においては、メール配信条件の第１条件は「１．リアルタイム配信」、第２条件は「２．配信せず」、第３条件は「３．規定時間配信」となっており、いずれかを選択する。
そして、第３条件である「３．規定時間配信」を選択すると、図２（Ｃ）に示すような日時設定画面１０４が表示される。
この日時設定画面１０４で、時間や曜日を入力して設定する。なお、日時設定画面においては、時間や曜日の日時を複数設定可能である。
【００３７】
次に、図３に関連付けてメール配信条件設定登録について説明する。
【００３８】
配信条件設定登録では、図３（Ａ）に示すように、表示部１２にメール配信設定画面１０５を表示させる。
そして、表示画面１０４の配信条件入力領域１０６を選択して、図３(Ｂ）に示すような配信条件設定画面１０７を表示する。
本例においては、配信条件の第１条件は「１．アドレス帳条件」、第２条件は「２．アドレス判定」、第３条件は「１と２の優先順」となっており、いずれかを選択する。
なお、アドレス帳条件とは、アドレス帳に設定された配信相手にメールの配信を行う個を条件とするものである。アドレス帳条件がオンになっている場合に、アドレス帳に設定された配信相手にメールの配信が行われる。
【００３９】
そして、第１条件である「１．アドレス帳条件」を選択すると、図３（Ｃ）に示すようなアドレス帳条件をオンにするかオフにする設定画面１０８が表示される。この画面１０８でアドレス帳条件を「１．オン」、「２．オフ」いずれにするかを選択し設定する。
このアドレス帳条件をオンにする場合は、時間等をさほど気にすることのない親密度の高い相手である場合に選択される。たとえば親族、親友等である。
この条件は、前述したように、履歴情報等から動的に変更可能である。
【００４０】
第２条件である「アドレス判定」を選択すると、図３（Ｄ）に示すように、アドレス判定の配信条件画面１０９が表示される。
本例においては、アドレス判定の配信条件の第１条件は「１．リアルタイム配信」、第２条件は「２．配信せず」、第３条件は「３．規定時間配信」となっており、いずれかを選択する。
【００４１】
また、図３（Ｂ）の表示画面１０７で第３条件である「「１と２の優先順」を選択すると、アドレス帳条件に従った配信かアドレス判定に従った配信のうちのいずれを優先的に行うかの優先度設定画面１１０が表示される。この画面１１０で優先度を設定する。
図３（Ｂ）の表示画面１０７で条件１，２，３のそれぞれの設定を行う場合の表示例を図３(Ｆ）に示す。
【００４２】
次に、図４に関連付けて作成したメールを配信した後の配信処理後の処理登録について説明する。
以下では、作成したメールを配信した後の配信処理後の処理を「配信後の処理」として説明する。
【００４３】
配信後処理設定登録では、図４（Ａ）に示すように、表示部１２にメール配信設定画面１０５を表示させる。この画面１０５には、図３(Ａ）に示した送信条件入力欄の他に、作成したメールを配信した後の配信後の処理の設定欄が形成されている。
そして、表示画面１０５の配信後の処理の入力領域１１１を選択して、図４(Ｂ）に示すような配信後の処理画面１１２を表示する。
【００４４】
本例においては、配信後の処理の第１は「１．全て保存」、第２は「２．配信したものを保存」、第３は「３．配信しなかったものを保存」、第４は「４．規定時間配信したものを保存」となっており、いずれかを選択する。
そして、４つの選択項目のうちのいずれかを選択すると、図４（Ｃ）に示すような選択した処理条件をオンにするかオフにする設定画面１１３が表示される。この画面１１３で選択処理項目を「１．オン」、「２．オフ」いずれにするかを選択し設定する。
【００４５】
次に、上記設定条件に従ったメール送信動作を、制御部１７の動作を中心に図５のフローチャートに関連付けて説明する。
【００４６】
配信するメールを作成し（ＳＴ１）、メール配信を選択する（ＳＴ２）。
ここでまず、アドレス帳が登録されアドレスや配信先番号が設定されている否かを判定する（ＳＴ３）。
ステップＳＴ３において、アドレス帳が登録されていると判定すると、配信条件としてアドレス帳条件がオンに設定されているか否かを判定する（ＳＴ４）。
ステップＳＴ４でアドレス帳条件がオンに設定されていると判定すると、親密度の高い相手であるとして、作成したメールを無線通信部１１を介してリアルタイムに配信する。
配信が完了すると（ＳＴ５）、配信後の処理を設定条件に従って行う（ＳＴ６）。たとえば配信したメールを記憶部１５に保存する。
【００４７】
ステップＳＴ４において、アドレス帳条件がオンに設定されていないと判定すると、アドレス判定で配信せずの条件が設定されているか否かを判定する（ＳＴ７）。
ステップＳＴ７で配信せずの条件が設定されていると判定すると、その条件に従って配信を停止し（ＳＴ８）、ステップＳＴ６の後処理に移行する。
ステップＳＴ７で配信せずの条件が設定されていないと判定すると、規定時間配信条件が設定されているものとしてタイマ１６の計時時間に従って規定したし時間に作成メールを配信する（ＳＴ９，ＳＴ１０）。
配信が完了すると、配信後の処理を設定条件に従って行う（ＳＴ６）。たとえば配信したメールを記憶部１５に保存する。
【００４８】
ステップＳＴ３において、アドレス帳が登録されていないと判定すると、配信条件がアドレス判定配信に設定されているか否かの判定を行う（ＳＴ１１）。
ステップＳＴ１０において、配信条件がアドレス判定配信に設定されていると判定すると、作成したメールを無線通信部１１を介してリアルタイムに配信する。
配信が完了すると（ＳＴ５）、配信後の処理を設定条件に従って行う（ＳＴ６）。たとえば配信したメールを記憶部１５に保存する。
【００４９】
ステップＳＴ１１において、配信条件がアドレス判定配信に設定されていないと判定すると、アドレス判定で配信せずの条件が設定されているか否かを判定する（ＳＴ１２）。
ステップＳＴ７で配信せずの条件が設定されていると判定すると、その条件に従って配信を停止し（ＳＴ８）、ステップＳＴ６の後処理に移行する。
ステップＳＴ７で配信せずの条件が設定されていないと判定すると、規定時間配信条件が設定されているものとしてタイマ１６の計時時間に従って規定したし時間に作成メールを配信する（ＳＴ９，ＳＴ１０）。
配信が完了すると、配信後の処理を設定条件に従って行う（ＳＴ６）。たとえば配信したメールを記憶部１５に保存する。
【００５０】
また、制御部１７は、操作部１３の操作により設定され、すでに記憶部１５に記憶してある配信（送信）条件を、メール配信（送信）回数の履歴を管理し、ある相手へのメール配信回数履歴やメール受信回数履歴の情報を記憶部１５に記憶する。
そして、記憶部１５に記憶されて履歴情報に基づいて、所定期間、たとえば１週間、あるいは１ヶ月等の期間をおいて親密度等を推定し、配信すべく相手の配信順位等を動的に再設定する。
【００５１】
以上説明したように、本実施形態によれば、操作部１３の操作により設定され、すでに記憶部１５に記憶してある配信（送信）条件を、メール配信（送信）回数の履歴を管理し、ある相手へのメール配信回数履歴やメール受信回数履歴の情報を記憶部１５に記憶し、記憶部１５に記憶されて履歴情報に基づいて、所定期間、たとえば１週間、あるいは１ヶ月等の期間をおいて親密度等を推定し、配信すべく相手の配信順位等を動的に再設定し、アドレス帳が登録され、アドレス帳条件が設定されている場合にはリアルタイム配信し、アドレス帳条件が設定されていない場合には、メールを規定時間に配信する、あるいは条件に従ってメールを配信しない制御を行う制御部１７を有することから、以下の効果を得ることができる。
【００５２】
煩雑な操作を要することなく、送信条件にあった好適な条件でメール送信を行うことができる。
すなわち、メール端末を日常的に使用する場合、ユーザは送信タイミングに気を使う必要性がほとんどなくなり、また、送信相手は、深夜や業務中のメール着信による不都合を解消することが可能となり、使い勝手が著しく向上するという利点がある。
したがって、夜中や早朝で迷惑がかかる相手や、時間を気にしない親しい相手の携帯電話端末等に気にすることなくメールを配信することができる。
時間外配信などでは自動で配信することから、重要なメールの送信忘れがなくなる利点がある。
【００５３】
また、連名で受信したメールなどの全員返信などでは、それぞれに応じた返信を行うことができることから、個別に送る必要がなく、煩雑な手間を必要としないで済む。
換言すれば、すぐに送りたい相手、返信したくない相手、時間指定で送りたい相手などに分けて条件を設定でき、使い勝手のよい情報機器を実現することが可能となる。
【図面の簡単な説明】
【００５４】
【図１】本発明の実施形態に係る情報機器としての携帯電話端末の構成例を示すブロック図である。
【図２】本実施形態の制御部におけるアドレス帳の設定登録の一例を説明するための図である。
【図３】本実施形態の制御部におけるメール配信条件設定登録の一例を説明するための図である。
【図４】本実施形態の制御部におけるメール配信後の処理の設定登録の一例を説明するための図である。
【図５】本実施形態の動作を説明するためのフローチャートである。
【符号の説明】
【００５５】
１０・・・携帯電話端末、１１・・・無線通信部、１２・・・表示部、１３・・・操作部、１４・・・音声処理部、１５・・・記憶部、１６・・・タイマ、１７・・・制御部。
【図１】
2007299073.tif 000003
【図２】
2007299073.tif 000004
【図３】
2007299073.tif 000005
【図４】
2007299073.tif 000006
【図５】
2007299073.tif 000007